【手続補正書】
【提出日】平成19年12月3日(2007.12.3)
【手続補正１】
【補正対象書類名】特許請求の範囲
【補正対象項目名】全文
【補正方法】変更
【補正の内容】
【特許請求の範囲】
【請求項１】
像担持体、当該像担持体に露光走査する露光部、並びに、露光によって生成された静電潜像を記録材で顕像化する現像部を有する複数の画像形成部が、記録媒体の搬送方向に沿って並設された画像形成装置であって、
画像データを記憶する画像データ記憶手段と、
各画像形成部の前記像担持体上の露光走査方向に対するずれ量を示す露光ずれ量情報を記憶する露光ずれ量記憶手段と、
各画像形成部の構成に関する情報を記憶する構成情報記憶手段と、
該露光ずれ量記憶手段に記憶された露光ずれ量情報、及び、前記構成情報記憶手段に記憶された構成に関する情報に基づいて、前記画像データ記憶手段への読出しアドレスの座標を変換し、当該変換後のアドレス情報に従って画素データを読出す座標変換手段と、
該座標変換手段で得られた注目画素データとその周辺の画素データ群とに基づいて、注目画素データが画像エッジにあるか否かを判定する判定手段と、
該判定手段で注目画素が非画像エッジにあると判定した場合、ハーフトーン処理を行なう第１の処理手段と、
前記判定手段で注目画素が画像エッジにあると判定した場合、注目画素データの階調を、前記変換後のアドレス情報に基づいて補正する補正手段と、
該補正手段で補正後の注目画素データを、前記第１の処理手段とは異なる画像エッジ用の処理を行なう第２の処理手段と、
前記判定手段の判定結果に基づき、前記第１、第２の処理手段のいずれか一方の画素データを、該当する画像形成部の露光部の露光制御信号として出力する出力手段と
を備えることを特徴とする画像形成装置。
【請求項２】
前記露光ずれ量記憶手段は、
像担持体の理想とする露光走査方向である主走査方向の複数の位置に関する位置情報と、各位置における前記理想とする露光走査と実際の露光との距離に関する距離情報とを記憶することを特徴とする請求項１に記載の画像形成装置。
【請求項３】
前記座標変換手段は、
前記露光ずれ量記憶手段に記憶された位置情報に基づいて、露光方向が変化する位置に関する情報を算出して、露光方向が変化する位置間で定義される領域の座標を算出し、且つ、前記構成情報記憶手段及び前記露光ずれ量記憶手段に記憶された情報に基づき、主走査方向に対する露光走査の合成傾きを前記領域毎に算出する算出手段と、
前記画像データ記憶手段より露光方向である主走査方向のＸアドレスを発生するＸアドレス発生手段と、
該Ｘアドレス発生手段でＸアドレスが更新される度に、当該Ｘアドレスが、どの領域にあるのかを判定する領域判定手段と、
該領域判定手段で判定した結果に基づき、該当する傾き情報を選択する選択手段と、
該選択手段で選択した傾き情報を、累積加算する加算手段と、
該加算手段で加算した結果の値の整数部分をＹアドレスのオフセット値とするＹアドレスを発生するＹアドレス発生手段とを備え、
前記補正手段は、前記加算手段の累積加算された値の小数点以下の値に基づいて副走査方向に連続する２画素のデータから階調補正後の画素データを生成する
ことを特徴とする請求項２に記載の画像形成装置。
【請求項４】
前記座標変換手段は、
前記露光ずれ量記憶手段に記憶された位置情報に基づいて、露光方向が変化する複数の位置に関する情報に基づき複数の露光領域の座標を算出し、且つ、前記構成情報記憶手段及び前記露光ずれ量記憶手段に記憶された情報に基づき、主走査方向に対する露光走査の合成傾きを前記露光領域毎に算出し、主走査方向の各ｘ座標位置における副走査方向のオフセットアドレスと、各ｘ座標位置における重み付け係数を算出する算出手段と、
該算出手段で算出された結果に基づいて参照テーブルを生成するテーブル生成手段と、
該テーブル生成手段で生成されたテーブルを参照して、生成されるＸアドレス、及び前記オフセットアドレスに基づくＹアドレスを発生し、画素データを読込む読込み手段とを備え、
前記補正手段は、前記読込み手段で画素データを読込む際に参照されたオフセットアドレスと共に格納された重み付け係数を用いて、副走査方向に連続する２画素データの重み付け補間し、階調補正後の画素データを生成する
ことを特徴とする請求項２に記載の画像形成装置。
【請求項５】
更に、パターンを各画像形成部で形成し、当該パターンを検出することで、露光ずれ量記憶手段を更新する更新手段を備えることを特徴とする請求項１乃至４のいずれか１項に記載の画像形成装置。
【請求項６】
像担持体、当該像担持体に露光走査する露光部、並びに、露光によって生成された静電潜像を記録材で顕像化する現像部を有する複数の画像形成部が、記録媒体の搬送方向に沿って並設された画像形成装置の制御方法であって、
画像データを画像データ記憶手段に格納する工程と、
各画像形成部の前記像担持体上の露光走査方向に対するずれ量を示す露光ずれ量情報を記憶する露光ずれ量記憶手段から前記露光ずれ量情報を読込む工程と、
各画像形成部の構成に関する情報を記憶する構成情報記憶手段から構成情報を読込む工程と、
読込まれた露光ずれ量情報及び構成に関する情報に基づいて、前記画像データ記憶手段への読出しアドレスの座標を変換し、当該変換後のアドレス情報に従って画素データを読出す座標変換工程と、
該座標変換工程で得られた注目画素データとその周辺の画素データ群とに基づいて、注目画素データが画像エッジにあるか否かを判定する判定工程と、
該判定工程で注目画素が非画像エッジにあると判定した場合、ハーフトーン処理を行なう第１の処理工程と、
前記判定工程で注目画素が画像エッジにあると判定した場合、注目画素データの階調を、前記変換後のアドレス情報に基づいて補正する補正工程と、
該補正工程で補正後の注目画素データを、前記第１の処理手段とは異なる画像エッジ用の処理を行なう第２の処理工程と、
前記判定工程の判定結果に基づき、前記第１、第２の処理手段のいずれか一方の画素データを、該当する画像形成部の露光部の露光制御信号として出力する出力工程と
を備えることを特徴とする画像形成装置の制御方法。
【請求項７】
前記露光ずれ量記憶手段には、
像担持体の理想とする露光走査方向である主走査方向の複数の位置に関する位置情報と、各位置における前記理想とする露光走査と実際の露光との距離に関する距離情報とが記憶されることを特徴とする請求項６に記載の画像形成装置の制御方法。
【請求項８】
前記座標変換工程は、
前記露光ずれ量記憶手段に記憶された位置情報に基づいて、露光方向が変化する位置に関する情報を算出して、露光方向が変化する位置間で定義される領域の座標を算出し、且つ、前記構成情報記憶手段及び前記露光ずれ量記憶手段に記憶された情報に基づき、主走査方向に対する露光走査の合成傾きを前記領域毎に算出する算出工程と、
前画像データ記憶手段より露光方向である主走査方向のＸアドレスを発生するＸアドレス発生工程と、
該Ｘアドレス発生工程でＸアドレスが更新される度に、当該Ｘアドレスが、どの領域にあるのかを判定する領域判定工程と、
該領域判定工程で判定した結果に基づき、該当する傾き情報を選択する選択工程と、
該選択工程で選択した傾き情報を、累積加算する加算工程と、
該加算工程で加算した結果の値の整数部分をＹアドレスのオフセット値とするＹアドレスを発生するＹアドレス発生工程とを備え、
前記補正工程は、前記加算工程の累積加算された値の小数点以下の値に基づいて、副走査方向に連続する２画素のデータから階調補正後の画素データを生成する
ことを特徴とする請求項７に記載の画像形成装置の制御方法。
【請求項９】
前記座標変換工程は、
前記露光ずれ量記憶手段に記憶された位置情報に基づいて、露光方向が変化する複数の位置に関する情報に基づき複数の露光領域の座標を算出し、且つ、前記構成情報記憶手段及び前記露光ずれ量記憶手段に記憶された情報に基づき、主走査方向に対する露光走査の合成傾きを前記露光領域毎に算出し、主走査方向の各ｘ座標位置における副走査方向のオフセットアドレスと、各ｘ座標位置における重み付け係数を算出する算出工程と、
該算出工程で算出された結果に基づいて参照テーブルを生成するテーブル生成工程と、
該テーブル生成工程で生成されたテーブルを参照して、生成されるＸアドレス、及び前記オフセットアドレスに基づくＹアドレスを発生し、画素データを読込む読込み工程とを備え、
前記補正工程は、前記読込み工程で画素データを読込む際に参照されたオフセットアドレスと共に格納された重み付け係数を用いて、副走査方向に連続する２画素データの重み付け補間し、階調補正後の画素データを生成する
ことを特徴とする請求項７に記載の画像形成装置の制御方法。
【請求項１０】
更に、パターンを各画像形成部で形成し、当該パターンを検出することで、露光ずれ量記憶手段を更新する更新工程を備えることを特徴とする請求項６乃至９のいずれか１項に記載の画像形成装置の制御方法。
【手続補正２】
【補正対象書類名】明細書
【補正対象項目名】００１５
【補正方法】変更
【補正の内容】
【００１５】
かかる課題を解決するため、例えば本発明の画像形成装置は以下の構成を備える。すなわち、
像担持体、当該像担持体に露光走査する露光部、並びに、露光によって生成された静電潜像を記録材で顕像化する現像部を有する複数の画像形成部が、記録媒体の搬送方向に沿って並設された画像形成装置であって、
画像データを記憶する画像データ記憶手段と、
各画像形成部の前記像担持体上の露光走査方向に対するずれ量を示す露光ずれ量情報を記憶する露光ずれ量記憶手段と、
各画像形成部の構成に関する情報を記憶する構成情報記憶手段と、
該露光ずれ量記憶手段に記憶された露光ずれ量情報、及び、前記構成情報記憶手段に記憶された構成に関する情報に基づいて、前記画像データ記憶手段への読出しアドレスの座標を変換し、当該変換後のアドレス情報に従って画素データを読出す座標変換手段と、
該座標変換手段で得られた注目画素データとその周辺の画素データ群とに基づいて、注目画素データが画像エッジにあるか否かを判定する判定手段と、
該判定手段で注目画素が非画像エッジにあると判定した場合、ハーフトーン処理を行なう第１の処理手段と、
前記判定手段で注目画素が画像エッジにあると判定した場合、注目画素データの階調を、前記変換後のアドレス情報に基づいて補正する補正手段と、
該補正手段で補正後の注目画素データを、前記第１の処理手段とは異なる画像エッジ用の処理を行なう第２の処理手段と、
前記判定手段の判定結果に基づき、前記第１、第２の処理手段のいずれか一方の画素データを、該当する画像形成部の露光部の露光制御信号として出力する出力手段とを備える。